(57)【要約】      （修正有）【課題】持ち運びした際に収納した食器のがたつきを抑制し、収納空間を有効活用することができる食器かごを提供する。【解決手段】水平面に沿う第１方向に延び水平面に沿い第１方向に直行する第２方向に並ぶ第１及び第２の載置用線材と、第２方向に延び第１方向に並ぶ第１及び第２の支持用線材とを備え、第１の支持用線材は上方向に突出し、第１高さを有する一対の第１の支持部４１と、上方向に突出し、第１高さより高い第２高さを有する一対の第２の支持部４２とを有し、第２の支持用線材は上方向に突出した一対の第３の支持部４３を有し、一対の第１の支持部４１は、第２方向において第１の載置用線材と第２の載置用線材との間に位置し、第１及び第２の載置用線材は、第２方向において、一対の第２の支持部の間に位置し、第１及び第２の載置用線材は、第２方向において、一対の第３の支持部４３の間に位置することを特徴とする食器かご１００である。【選択図】図２
2019129963.tif 000002
【特許請求の範囲】
【請求項１】
椀状及び長皿状の食器を起立状態で収納し前記起立状態を維持したまま持ち運び可能な食器かごであって、
水平面に沿う第１方向に延び、前記水平面に沿い前記第１方向に直行する第２方向に並ぶ第１及び第２の載置用線材と、
前記第２方向に延び、前記第１方向に並ぶ第１及び第２の支持用線材と、
を備え、
前記第１の支持用線材は、上方向に突出し、第１高さを有する一対の第１の支持部と、前記上方向に突出し、前記第１高さより高い第２高さを有する一対の第２の支持部と、を有し、
前記第２の支持用線材は、前記上方向に突出した一対の第３の支持部を有し、
前記一対の第１の支持部は、前記第２方向において、前記第１の載置用線材と前記第２の載置用線材との間に位置し、
前記第１及び第２の載置用線材は、前記第２方向において、前記一対の第２の支持部の間に位置し、
前記第１及び第２の載置用線材は、前記第２方向において、前記一対の第３の支持部の間に位置することを特徴とする食器かご。
【請求項２】
前記第２の支持用線材は、前記上方向に突出した一対の第４の支持部を有し、
前記一対の第４の支持部の高さは、前記一対の第３の支持部の高さよりも低く、
前記一対の第４の支持部は、前記第２方向において、前記第１の載置用線材と前記第２の載置用線材との間に位置することを特徴とする請求項１記載の食器かご。
【発明の詳細な説明】
【技術分野】
【０００１】
本発明の態様は、一般的に、食器かごに関する。
【背景技術】
【０００２】
一般的に、食器洗浄機に搭載する食器かごは洗浄性能確保のために食器類を起立した状態で支持している。例えば、特許文献１のように、食器の形状にあわせて皿の載置部を設けることで食器類を起立した状態で固定する構造が知られている。また近年では、特許文献２のように食器洗浄機に収納した食器かごをキッチン等で使用する水切りかごとして利用する動きがある。
【先行技術文献】
【特許文献】
【０００３】
【特許文献１】特開２０００−１５７４８１号公報
【特許文献２】特開２０１５−１１９９４０号公報
【発明の概要】
【発明が解決しようとする課題】
【０００４】
しかしながら、特許文献１の構造では、食器かごの形状にあわせて収納するスペース（収納空間）は決まっているため、例えばお椀を洗浄する必要がなく長尺の皿（長皿）のみ洗浄したい場合、お椀を収納可能な収納空間に長皿を収納することができずにデッドスペースとなってしまっていた。
【０００５】
例えば、特許文献１の構造において、長皿を収納するために設けられた収納空間にお椀を収納しようとすると、お椀の上下の幅（高さ）に合わせピンの幅を大きく設けなければならない。一方、ピンの幅を大きくすると、長皿を収納した場合に長皿とピンとの間に隙間ができる。この隙間があると、食器かごの持ち運びの際に長皿の支持が不安定となり、がたつきが発生する恐れがあった。
【０００６】
本発明は、かかる課題の認識に基づいてなされたものであり、椀状及び長皿状の食器を同じ収納空間に収納可能な食器かごにおいて、収納した状態で持ち運びした際に収納した食器のがたつきを抑制し、食器かごの収納空間を有効活用することができる食器かごを提供することを目的とする。
【課題を解決するための手段】
【０００７】
第１の発明は、椀状及び長皿状の食器を起立状態で収納し前記起立状態を維持したまま持ち運び可能な食器かごであって、水平面に沿う第１方向に延び、前記水平面に沿い前記第１方向に直行する第２方向に並ぶ第１及び第２の載置用線材と、前記第２方向に延び、前記第１方向に並ぶ第１及び第２の支持用線材と、を備え、前記第１の支持用線材は、上方向に突出し、第１高さを有する一対の第１の支持部と、前記上方向に突出し、前記第１高さより高い第２高さを有する一対の第２の支持部と、を有し、前記第２の支持用線材は、前記上方向に突出した一対の第３の支持部を有し、前記一対の第１の支持部は、前記第２方向において、前記第１の載置用線材と前記第２の載置用線材との間に位置し、前記第１及び第２の載置用線材は、前記第２方向において、前記一対の第２の支持部の間に位置し、前記第１及び第２の載置用線材は、前記第２方向において、前記一対の第３の支持部の間に位置することを特徴とする食器かごである。
【０００８】
この食器かごによれば、第１の支持用線材において、第１及び第２の載置用線材に対し、内側に第１の支持部、外側に第２の支持部が設けられている。さらに、第２の支持用線材において、第１及び第２の載置用線材に対して外側に第３の支持部が設けている。このため、椀状の食器を起立状態で収納する際は、第１及び第２の載置用線材に椀状の食器が載置されることにより、椀状の食器の中心が第１及び第２の載置用線材の間の中心に位置する。そして、第１の支持部で椀状の食器の下部（外側）を支持することにより、椀状の食器を起立状態で支持することが可能となる。また、椀状の食器が第１の支持部を超えて後方（椀状の食器の下部側）へ倒れ込もうとする動きを、第３の支持部で抑制することができる。これにより、椀状の食器を下方（椀状の食器の側面側）から支えることが可能となり、第１の支持部の高さを短くすることができる。椀状の食器を下方から支える際に第１の支持部の高さが短いほど、椀状の食器の上部側を支えることとなり、第１の支持用線材と第２の支持用線材との間隔を小さく設けることができる。そのため、椀状の食器を収納可能な収納空間に長皿状の食器を収納した場合においても、長皿状の食器を大きく傾斜させることなく収納可能となり、長皿状の食器ががたつくことを抑制することができる。また、長皿状の食器を起立状態で収納する際は、第１及び第２の載置用線材より外側に位置する第２の支持部で支えるため、広い間隔で長皿状の食器を支えることになり、重心が左右にずれることを抑制し、安定して支持することができる。従って、椀状の食器及び長皿状の食器を同じ収納空間に収納しつつ、持ち運びの際に食器ががたつくことを抑制することができる。
【０００９】
第２の発明は、第１の発明において、前記第２の支持用線材は、前記上方向に突出した一対の第４の支持部を有し、前記一対の第４の支持部の高さは、前記一対の第３の支持部の高さよりも低く、前記一対の第４の支持部は、前記第２方向において、前記第１の載置用線材と前記第２の載置用線材との間に位置することを特徴とする食器かごである。
【００１０】
この食器かごによれば、第１の支持用線材側に上部を向けた起立状態でも第２の支持用線材側に上部を向けた起立状態でも食器を収納可能である。従って、より使い勝手が良い。
【発明の効果】
【００１１】
本発明の態様によれば、椀状及び長皿状の食器を同じ収納空間に収納可能な食器かごにおいて、収納した状態で持ち運びした際に収納した食器のがたつきを抑制し、食器かごの収納空間を有効活用することができる食器かごが提供される。
【図面の簡単な説明】
【００１２】
【図１】実施形態に係る食器かごを設置したシステムキッチンを模式的に表す斜視図である。
【図２】実施形態に係る食器かごを模式的に表す斜視図である。
【図３】実施形態に係る食器かごの一部を拡大して模式的に表す斜視図である。
【図４】実施形態に係る食器かごに椀状の食器を収納したところを模式的に表す断面図である。
【図５】実施形態に係る食器かごに椀状の食器を収納したところを模式的に表す断面図である。
【図６】実施形態に係る食器かごに椀状の食器を収納したところを拡大して模式的に表す斜視図である。
【図７】実施形態に係る食器かごに椀状の食器を収納したところを拡大して模式的に表す斜視図である。
【図８】実施形態に係る食器かごに長皿状の食器を収納したところを模式的に表す断面図である。
【図９】実施形態に係る食器かごに長皿状の食器を収納したところを模式的に表す断面図である。
【図１０】実施形態に係る食器かごに長皿状の食器を収納したところを拡大して模式的に表す斜視図である。
【図１１】実施形態に係る食器かごに長皿状の食器を収納したところを拡大して模式的に表す斜視図である。
【図１２】実施形態に係る食器かごの変形例に長皿状の食器を収納したところを拡大して模式的に表す斜視図である。
【発明を実施するための形態】
【００１３】
以下、本発明の実施の形態について図面を参照しつつ説明する。なお、各図面中、同様の構成要素には同一の符号を付して詳細な説明は適宜省略する。  
図１は、実施形態に係る食器かごを設置したシステムキッチンを模式的に表す斜視図である。  
図１に表したシステムキッチン５００は、カウンタ２００と、食器洗浄機３００と、を備える。カウンタ２００は、シンク２１０を有する。例えば、シンク２１０の後部には、水栓（図示なし）が設けられている。
【００１４】
本願明細書においては、システムキッチン５００の前においてシンク２１０と向き合う使用者からみて手前側を「前方」とし、奥側を「後方」とし、上側を「上方」とし、下側を「下方」とし、右側を「右側方」とし、左側を「左側方」とする。
【００１５】
食器洗浄機３００は、カウンタ２００の下方に設けられている。より具体的には、食器洗浄機３００は、カウンタ２００の下方に組み込まれている。食器洗浄機３００は、筐体３０１と、洗浄槽３０３と、扉３０５と、食器かご１００と、を有する。筐体３０１は、前面に前開口部３０２を有する。洗浄槽３０３は、上面に上開口部３０４を有し、洗浄槽３０３は、筐体３０１に収容されている収容位置と収容されていない非収容位置との間でスライド移動可能である。扉３０５は、洗浄槽３０３と一体となるように構成されており、洗浄槽３０３が筐体３０１に収容されたときに前開口部３０２を覆うものである。図１に表した矢印Ａ１のように、洗浄槽３０３および扉３０５は、筐体３０１に対して前後方向にスライド移動可能である。
【００１６】
図１に表した矢印Ａ２のように、食器かご１００は、上開口部３０４を通して洗浄槽３０３に対して出し入れ可能とされている。食器かご１００は、例えば食器や調理器具などの被洗浄物（図示なし）が収納された状態で洗浄槽３０３に対して出し入れ可能である。そのため、使用者は、汚れた食器（洗浄前の食器）をシンク２１０の内部に設置された状態で食器かご１００に収納し、汚れた食器が収納された食器かご１００をそのまま食器洗浄機３００に移動して洗浄することができる。これにより、例えば食器や調理器具などの被洗浄物を１つずつ食器洗浄機３００にセットする手間を削減することができ、従来のように、食器かご１００が、被洗浄物が収納された状態で洗浄槽３０３に対して出し入れ可能でない場合に比べて、食事の後片付けをより短時間で行うことができる。よって、食器洗浄機３００に対する被洗浄物の出し入れの手間を削減することができるとともに、使用者の身体への負担を軽減することができる。
【００１７】
シンク２１０の内部に食器かご１００を設置する場合は、例えば、シンク２１０の周縁に形成された段落ち部２１１に、食器かご１００の一部を引っ掛かけて係止することができる。食器かご１００には、段落ち部２１１に引っ掛かけるための係止片が設けられていてもよい。また、食器かご１００をシンク２１０の内部に置いて使用してもよい。
【００１８】
図２は、実施形態に係る食器かごを模式的に表す斜視図である。  
図２に表したように、食器かご１００は、かご部１０と、上部フレーム３０と、取っ手部５０と、を備えている。食器かご１００は、上面部に開口を有しており、この開口を通して食器や調理器具などの被洗浄物を出し入れすることができる。
【００１９】
かご部１０は、長手方向に延びた底面部１１と、底面部１１の長手方向の一対の外縁のそれぞれに設けられた一対の第１側面部１２（１２ａ及び１２ｂ）と、底面部１１の短手方向の一対の外縁のそれぞれに設けられた一対の第２側面部１３（１３ａ及び１３ｂ）と、を有する。この例では、長手方向は前後方向であり、短手方向は左右方向である。また、この例では、左右方向（短手方向）を水平面に沿う第１方向とし、長手方向（前後方向）を水平面に沿い第１方向に直行する第２方向とする。
【００２０】
かご部１０は、かご部１０の内部に収納された被洗浄物から垂れた水をかご部１０の下方に通過させ、水を切ることができる。かご部１０は、例えば、外周フレーム２０と、第１線材２１と、第２線材２２と、を有する網かごである。
【００２１】
かご部１０がこのような網かごであれば、水切れがよく、例えば、食器かご１００を食器洗浄機３００で使用した際に、全方向から洗浄することが可能であるため、使い勝手が良い。また、かご部１０を網かご状にすることにより、例えば、食器かご１００を食器洗浄機３００で使用した際に、洗浄水などがかご部１０で遮られてしまうことを抑制し、被洗浄物の洗浄性を高めることもできる。
【００２２】
外周フレーム２０は、かご部１０の左右方向及び前後方向の外周部分となるフレームである。外周フレーム２０は、例えば、ステンレス製の線材である。この例では、上下方向に略平行に並ぶように、外周フレーム２０ａ及び外周フレーム２０ｂが設けられている。外周フレーム２０の数は、任意の数とすることができる。
【００２３】
外周フレーム２０は、一対の第１側面部１２及び一対の第２側面部１３に設けられている。外周フレーム２０は、一対の第１側面部１２において前後方向に延びる部分と、一対の第２側面部１３において左右方向に延びる部分と、を含む。外周フレーム２０の形状は、上面視において、例えば、略長方形状である。
【００２４】
第１線材２１は、かご部１０の下方向及び左右方向の外周部分となるフレームである。第１線材２１は、例えば、ステンレス製の線材である。この例では、前後方向に略平行に並ぶように、第１線材２１ａ、２１ｂ、２１ｃ、２１ｄ、２１ｅ、及び２１ｆが設けられている。第１線材２１の数は、２以上の任意の数とすることができる。
【００２５】
第１線材２１は、底面部１１及び一対の第１側面部１２に設けられている。第１線材２１は、一対の第１側面部１２において上下方向に延びる部分と、底面部１１において左右方向に延びる部分と、を含む。第１線材２１は、一対の第１側面部１２において、外周フレーム２０に略直交している。第１線材２１は、底面部１１において、第１方向（左右方向）に延び、第２方向（前後方向）に並ぶ載置用線材である。
【００２６】
第２線材２２は、かご部１０の下方向及び前後方向の外周部分となるフレームである。第２線材２２は、例えば、ステンレス製の線材である。この例では、左右方向に略平行に並ぶように、第２線材２２ａ、２２ｂ、２２ｃ、２２ｄ、及び２２ｅが設けられている。第２線材２２の数は、２以上の任意の数とすることができる。
【００２７】
第２線材２２は、底面部１１及び一対の第２側面部１３に設けられている。第２線材２２は、一対の第２側面部１３において上下方向に延びる部分と、底面部１１において前後方向に延びる部分と、を含む。第２線材２２は、一対の第２側面部１３において、外周フレーム２０に略直交している。第２線材２２は、底面部１１において、第１線材２１に略直交している。第１線材２１は、底面部１１において、第２方向（前後方向）に延び、第１方向（左右方向）に並ぶ支持用線材である。
【００２８】
第２線材２２には、複数の突出部４０（４１、４２、４３、４４、及び４５）が設けられている。複数の突出部４０については、後述する。
【００２９】
実施形態に係る食器かご１００は、上部フレーム３０を備える。上部フレーム３０は、例えば、ステンレス製の線材である。上部フレーム３０は、上記のかご部１０の上部に設けられている。上部フレーム３０は、かご部１０の第１線材２１ａ及び２１ｆと接続されている。また、上部フレーム３０の一部は、かご部１０の外周フレーム２０ａと接続されている。上部フレーム３０は、第２線材２２と接続されていてもよい。
【００３０】
上部フレーム３０の前後方向の端部は、上面視において、外周フレーム２０の前後方向の端部（一対の第２側面部１３）よりも外側に位置している。換言すれば、かご部１０に対して、上部フレーム３０が前後方向にせり出している。このような構造とすることで、上部フレーム３０の前後方向の端部を上記の係止片として利用することができる。この係止片によって、例えば、シンク２１０の周縁に食器かご１００を引っ掛けて、食器かご１００を使用することができる。また、この例では、前後方向にせり出した上部フレーム３０の一部が、内側及び下方に湾曲している。このような構造であれば、シンク２１０内に食器かご１００を設置した場合に、湾曲した部分をシンク２１０の周縁に当接させて、食器かご１００の前後方向の揺れを抑制することができる。
【００３１】
実施形態に係る食器かご１００は、把持可能な一対の取っ手部５０（５０ａ及び５０ｂ）を備える。一対の取っ手部５０は、例えば、ステンレス製の線材である。一対の取っ手部５０は、上記のかご部１０の上部に設けられている。一対の取っ手部５０は、一対の第１側面部１２の上部に設けられている。一対の取っ手部５０は、一対の第２側面部１３の上部に設けられてもよい。一対の取っ手部５０は、一対の第１側面部１２の上部、及び、一対の第２側面部１３の上部、の両方に設けられてもよい。
【００３２】
一対の取っ手部５０は、上部フレーム３０の一部に上下動可能に取り付けられている。一対の取っ手部５０は、接続されている上部フレーム３０の一部を摺動することで略垂直方向に上下動することができる。これにより、食器かごを持ち運ぶ際には一対の取っ手部５０を上げることで持ち運びを容易にすることができる。また、一対の取っ手部５０を使用しないときには、一対の取っ手部５０を下げることで、食器を収納する際の作業動線に一対の取っ手部５０が来ることを抑制できる。
【００３３】
一対の取っ手部５０は、上部フレーム３０に上下動しないように接続されてもよい。一対の取っ手部５０は、かご部１０に上下動可能に取り付けられてもよい。一対の取っ手部５０は、かご部１０に上下動しないように接続されてもよい。
【００３４】
実施形態に係る食器かご１００は、かご部１０の下に設けられた脚部６０を備える。脚部６０は、例えば、ステンレス製の線材である。この例では、脚部６０は、第１線材２１（第１線材２１ａ及び２１ｆ）の下に、第１線材２１と略平行に設けられている。脚部６０は、例えば、左右方向に延びるフラット形状である。
【００３５】
脚部６０を設けることで、例えば、食器かご１００をシンク２１０の内部に直接置く場合に、シンク２１０とかご部１０の底面部１１との間に空間を設けることができる。これにより、かご部１０の底面部１１がシンク２１０に直接触れないようにすることができ、かご部１０内に収納した食器類などにシンク２１０ではねた水がかかることを抑制できる。また、かご部１０内に収納した食器類の一部が、かご部１０の底面部１１よりも下に出ている場合に、食器かご１００をシンク２１０の内部に直接置いても、食器類がシンク２１０に触れて動くことを抑制できる。
【００３６】
また、食器かご１００を食器洗浄機３００の内部に収納するとき、食器かご１００を食器洗浄機３００の内部に設けられた網かごに載置する場合がある。このとき、例えば、脚部６０の左右方向の長さが食器洗浄機３００の内部に設けられた網かごの網目よりも大きければ、脚部６０が食器洗浄機３００の内部に設けられた網かごの網目には落ち込むことを抑制できる。従って、食器かご１００を安定して食器洗浄機３００の内部に載置することができる。脚部６０の左右方向の長さは、例えば、かご部１０の左右方向の長さと同程度である。
【００３７】
図３は、実施形態に係る食器かごの一部を拡大して模式的に表す斜視図である。  
図３に表したように、第２線材２２には、上方向に略垂直に突出する複数の突出部４０（突出部４１、４２、４３、４４、４５、及び４６）が設けられている。ここでは、第２線材２２ａ及び２２ｂを例に挙げて説明する。第２線材２２ａは、第１の支持用線材に相当する。第２線材２２ｂは、第２の支持用線材に相当する。また、第１線材２１ｃは、第１の載置用線材に相当する。第１線材２１ｄは、第２の載置用線材に相当する。
【００３８】
第２線材２２ａ（第１の支持用線材）と第２線材２２ｂ（第２の支持用線材）との間の距離は、例えば、３５ｍｍ以上４５ｍｍ以下である。また、第１線材２１ｃ（第１の載置用線材）と第１線材２１ｄ（第２の載置用線材）との間の距離は、例えば、５０ｍｍ以上７５ｍｍ以下である。
【００３９】
第２線材２２ａ（第１の支持用線材）には、複数の突出部４１（突出部４１ａ、４１ｂ、４１ｃ、及び４１ｄ）、複数の突出部４２（突出部４２ａ、４２ｂ、４２ｃ、及び４２ｄ）、及び複数の突出部４５が設けられている。
【００４０】
突出部４１は、第１の支持部に相当する。複数の突出部４１のうち２つ（突出部４１ａ及び４１ｂ）は、２本の第１線材２１（第１線材２１ｃ及び第１線材２１ｄ）の内側に位置する。換言すれば、一対の第１の支持部（突出部４１ａ及び４１ｂ）は、第２方向（前後方向）において、第１の載置用線材（第１線材２１ｃ）と第２の載置用線材（第１線材２１ｄ）との間に位置する。突出部４１は、第１高さｈ１を有する。第１高さｈ１は、例えば、８ｍｍ以上１５ｍｍ以下である。
【００４１】
第１の支持部の数は２つに限定されず、３つ以上でもよい。この例では、突出部４１ａ及び４１ｂに加えて、突出部４１ｃ及び４１ｄが設けられている。突出部４１ｃ及び４１ｄは、前後方向において、第１線材２１ｅと第１線材２１ｆとの間に位置する。このように、複数の突出部４１のうち別の２つ（突出部４１ｃ及び４１ｄ）が、別の２本の第１線材２１（第１線材２１ｅ及び第１線材２１ｆ）の内側に位置していてもよい。
【００４２】
突出部４２は、第２の支持部に相当する。複数の突出部４２のうち２つ（突出部４２ａ及び４２ｂ）は、２本の第１線材２１（第１線材２１ｃ及び第１線材２１ｄ）の外側に位置する。換言すれば、第１の載置用線材（第１線材２１ｃ）及び第２の載置用線材（第１線材２１ｄ）は、第２方向（前後方向）において、一対の第２の支持部（突出部４２ａと突出部４２ｂと）の間に位置する。突出部４２は、第２高さｈ２を有する。第２高さｈ２は、第１高さｈ１より高い。第２高さｈ２は、例えば、１５ｍｍ以上４５ｍｍ以下である。第２高さｈ２は、第１線材２１の上下方向の長さよりも短い。
【００４３】
第２の支持部の数は２つに限定されず、３つ以上でもよい。この例では、突出部４２ａ及び４２ｂに加えて、突出部４２ｃ及び４２ｄが設けられている。第１線材２１ｅと第１線材２１ｆは、前後方向において、突出部４２ｃと突出部４２ｄとの間に位置する。このように、複数の突出部４２のうち別の２つ（突出部４２ｃ及び４２ｄ）が、別の２本の第１線材２１（第１線材２１ｅ及び第１線材２１ｆ）の外側に位置していてもよい。
【００４４】
突出部４５は、第１及び第２の支持部以外の支持部に相当する。この例では、突出部４５は、第２高さｈ２と同じ高さを有する。このように、第２線材２２ａ（第１の支持用線材）には、第１及び第２の支持部以外の支持部が設けられていてもよい。
【００４５】
一方、第２線材２２ｂ（第２の支持用線材）には、複数の突出部４３（突出部４３ａ、４３ｂ、４３ｃ、及び４３ｄ）、複数の突出部４４（突出部４４ａ、４４ｂ、４４ｃ、及び４４ｄ）、及び複数の突出部４６が設けられている。
【００４６】
突出部４３は、第３の支持部に相当する。複数の突出部４３のうち２つ（突出部４３ａ及び４３ｂ）は、２本の第１線材２１（第１線材２１ｃ及び第１線材２１ｄ）の外側に位置する。換言すれば、第１の載置用線材（第１線材２１ｃ）及び第２の載置用線材（第１線材２１ｄ）は、第２方向（前後方向）において、一対の第３の支持部（突出部４３ａと突出部４３ｂと）の間に位置する。突出部４３は、第３高さｈ３を有する。第３高さｈ３は、例えば、第２高さｈ２と同じである。
【００４７】
第３の支持部の数は２つに限定されず、３つ以上でもよい。この例では、突出部４３ａ及び４３ｂに加えて、突出部４３ｃ及び４３ｄが設けられている。第１線材２１ｅと第１線材２１ｆは、前後方向において、突出部４３ｃと突出部４３ｄとの間に位置する。このように、複数の突出部４３のうち別の２つ（突出部４３ｃ及び４３ｄ）が、別の２本の第１線材２１（第１線材２１ｅ及び第１線材２１ｆ）の外側に位置していてもよい。
【００４８】
突出部４４は、第４の支持部に相当する。複数の突出部４４のうち２つ（突出部４４ａ及び４４ｂ）は、２本の第１線材２１（第１線材２１ｃ及び第１線材２１ｄ）の内側に位置する。換言すれば、一対の第４の支持部（突出部４４ａ及び４４ｂ）は、第２方向（前後方向）において、第１の載置用線材（第１線材２１ｃ）と第２の載置用線材（第１線材２１ｄ）との間に位置する。突出部４４は、第４高さｈ４を有する。第４高さｈ４は、第３高さｈ３よりも短い。第４高さｈ４は、例えば、第１高さｈ１と同じである。このような第４の支持部が設けられることで、食器を右向きに向けた状態でも左向きに向けた状態でも収納することが可能である。
【００４９】
第４の支持部の数は２つに限定されず、３つ以上でもよい。この例では、突出部４４ａ及び４４ｂに加えて、突出部４４ｃ及び４４ｄが設けられている。突出部４４ｃ及び４４ｄは、前後方向において、第１線材２１ｅと第１線材２１ｆとの間に位置する。このように、複数の突出部４４のうち別の２つ（突出部４４ｃ及び４４ｄ）が、別の２本の第１線材２１（第１線材２１ｅ及び第１線材２１ｆ）の内側に位置していてもよい。
【００５０】
突出部４６は、第３の支持部及び第４の支持部以外の支持部に相当する。この例では、突出部４６は、第２高さｈ２と同じ高さを有する。このように、第２線材２２ｂ（第２の支持用線材）には、第３の支持部及び第４の支持部以外の支持部が設けられていてもよい。
【００５１】
図３に表したように、第１の支持用線材（第２線材２２ａ）と第２の支持用線材（第２線材２２ｂ）とは、同形状であってもよい。同形状であれば、食器を右向きに向けた状態でも左向きに向けた状態でも収納可能であり、より使い勝手が良い。
【００５２】
図３に表したように、この例では、突出部４０は、前後方向に延びる第１及び第２の支持用線材の一部が上方に折り曲げられた構造（Ｕ字構造）である。突出部４０は、前後方向に延びる第１及び第２の支持用線材に、上方向に延びる線材が例えば溶接等により接続された構造であってもよい。また、突出部４０は、これらの両方を含んでもよい。突出部４０は、上方向に略垂直に突出しており、例えば、左右方向には屈曲していない。
【００５３】
図４及び図５は、実施形態に係る食器かごに椀状の食器を収納したところを模式的に表す断面図である。  
図４は、食器かご１００を左側方側から見た断面図である。  
図５は、食器かご１００を右側方側から見た断面図である。  
図６及び図７は、実施形態に係る食器かごに椀状の食器を収納したところを拡大して模式的に表す斜視図である。
【００５４】
図４〜図７に表したように、椀状の食器７１は、第１線材２１ｃ（第１の載置用線材）及び第１線材２１ｄ（第２の載置用線材）の上に載置されている。図４〜図７では、椀状の食器７１の下部７１ａが食器かご１００の左側方を向くように収納されている。椀状の食器７１は、下部７１ａ側で第１の支持部（突出部４１ａ及び４１ｂ）に当接しており、これにより起立状態で保持されている。すなわち、第１の支持部である突出部４１ａ、４１ｂは、椀状の食器７１の下部７１ａ（外側）を支持する。また、椀状の食器７１は、縁７１ｂで第３の支持部（突出部４３ａ及び４３ｂ）に当接しており、これにより椀状の食器７１が食器かご１００の左側方側に回転して倒れようとする動き（後ろ倒れ）を抑制している。また、第３の支持部により、椀状の食器７１が食器かご１００の右側方側に回転して倒れようとする動き（前倒れ）も抑制することができる。すなわち、第３の支持部である突出部４３ａ及び４３ｂは、突出部４１ａ及び４１ｂが椀状の食器７１の下部７１ａを支持した状態で、その食器７１の上部の縁７１ｂと係合することにより、その食器７１の回転（倒れ）を抑制する。
【００５５】
このように、実施形態に係る食器かご１００であれば、第１の支持部及び第３の支持部により、椀状の食器７１を起立状態で収納することができる。また、食器かご１００を持ち運ぶ際にも、第１の支持部及び第３の支持部により、椀状の食器７１を起立状態で保持することができる。
【００５６】
図８及び図９は、実施形態に係る食器かごに長皿状の食器を収納したところを模式的に表す断面図である。  
図８は、食器かご１００を左側方側から見た断面図である。  
図９は、食器かご１００を右側方側から見た断面図である。  
図１０及び図１１は、実施形態に係る食器かごに長皿状の食器を収納したところを拡大して模式的に表す斜視図である。
【００５７】
図８〜図１１に表したように、長皿状の食器７２は、第１線材２１ｂ、第１線材２１ｃ（第１の載置用線材）、第１線材２１ｄ（第２の載置用線材）、及び第１線材２１ｅの上に載置されている。図８〜図１１では、長皿状の食器７２の下部７２ａが食器かご１００の左側方を向くように収納されている。長皿状の食器７２は下部７２ａ側で第２の支持部（突出部４２ａ、４２ｂ、及び４２ｃ）に当接しており、これにより起立状態で保持されている。すなわち、第２の支持部である突出部４２ａ、４２ｂは、長皿状の食器７２の下部７２ａ（外側）を支持する。また、長皿状の食器７２は、縁７２ｂで第３の支持部（突出部４３ａ、４３ｂ、及び４３ｃ）に当接しており、これにより長皿状の食器７２が食器かご１００の左側方側に回転して倒れようとする動き（後ろ倒れ）を抑制している。また、第３の支持部により、長皿状の食器７２が食器かご１００の右側方側に回転して倒れようとする動き（前倒れ）も抑制することができる。すなわち、第３の支持部である突出部４３ａ及び４３ｂは、突出部４２ａ及び４２ｂが長皿状の食器７２の下部７２ａを支持した状態で、その食器７２の上部の縁７２ｂと係合することにより、その食器７２の回転（倒れ）も抑制する。
【００５８】
このように、実施形態に係る食器かご１００であれば、第２の支持部及び第３の支持部により、長皿状の食器７２を起立状態で収納することができる。また、食器かご１００を持ち運ぶ際にも、第２の支持部及び第３の支持部により、長皿状の食器７２を起立状態で保持することができる。
【００５９】
以上のように、実施形態に係る食器かご１００であれば、同じ収納空間に椀状の食器７１及び長皿状の食器７２のどちらを収納することもできる。従って、食器かご１００の収納空間を有効活用することができる。また、椀状の食器７１及び長皿状の食器７２のどちらを収納した場合にも、食器かご１００を持ち運ぶ際のがたつきの発生を抑制することができる。
【００６０】
なお、食器の向きを逆にして収納する場合には、第２線材２２ｂが第１の支持用線材に相当し、第２線材２２ａが第２の支持用線材に相当する。この場合、突出部４４が第１の支持部に相当し、突出部４３が第２の支持部に相当し、突出部４２が第３の支持部に相当し、突出部４１が第４の支持部に相当する。そして、この場合も、上記と同様に、第１の支持部及び第３の支持部により、椀状の食器７１を起立状態で保持することができる。また、第２の支持部及び第３の支持部により、長皿状の食器７２を起立状態で保持することができる。従って、椀状の食器７１の下部７１ａ又は長皿状の食器７２の下部７２ａが食器かご１００の右側方を向くように収納した場合にも、同じ収納空間に椀状の食器７１及び長皿状の食器７２を収納することができる。また、椀状の食器７１及び長皿状の食器７２のどちらを収納した場合にも、食器かご１００を持ち運ぶ際のがたつきの発生を抑制することができる。
【００６１】
図１２は、実施形態に係る食器かごの変形例に長皿状の食器を収納したところを拡大して模式的に表す斜視図である。  
なお、上記実施形態と機能・構成上実質的に同じものについては、同符号を付し、詳細な説明は省略する。  
図１２に表したように、この例では、第２の支持部（突出部４２）の第２高さｈ２が高い。このように、第２の支持部を高くすることで、長皿状の食器７２をより安定して支持することができる。また、第２の支持部を高くすることで、第２の支持部でコップ状の食器を支持することもできる。第３の支持部（突出部４３）、突出部４５、及び突出部４６の高さを、第２の支持部と同様の高さとしてもよい。
【００６２】
この変形例においても、収納した状態で持ち運びした際に収納した食器のがたつきを抑制し、食器かご１００の収納空間を有効活用することができる食器かごが提供される。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、食器かご１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
１０ かご部、  １１ 底面部、  １２、１２ａ、１２ｂ 第１側面部、  １３、１３ａ、１３ｃ 第２側面部、  ２０、２０ａ、２０ｂ 外周フレーム、  ２１、２１ａ〜２１ｆ 第１線材、  ２２、２２ａ〜２２ｅ 第２線材、  ３０、３０ａ、３０ｂ 上部フレーム、  ４０〜４６、４１ａ〜４１ｄ、４２ａ〜４２ｄ、４３ａ〜４３ｄ、４４ａ〜４４ｄ 突出部、  ５０、５０ａ、５０ｂ 取っ手部、  ６０ 脚部、  ７１ 椀状の食器、  ７１ａ 下部、  ７１ｂ 上部、  ７２ 長皿状の食器、  ７２ａ 下部、  ７２ｂ 上部、  １００ 食器かご、  ２００ カウンタ、  ２１０ シンク、  ２１１ 段落ち部、  ３００ 食器洗浄機、  ３０１ 筐体、  ３０２ 前開口部、  ３０３ 洗浄槽、  ３０４ 上開口部、  ３０５ 扉、  ５００ システムキッチン、  Ａ１、Ａ２ 矢印、  ｈ１〜ｈ４ 第１〜第４高さ
【図１】
2019129963.tif 000003
【図２】
2019129963.tif 000004
【図３】
2019129963.tif 000005
【図４】
2019129963.tif 000006
【図５】
2019129963.tif 000007
【図６】
2019129963.tif 000008
【図７】
2019129963.tif 000009
【図８】
2019129963.tif 000010
【図９】
2019129963.tif 000011
【図１０】
2019129963.tif 000012
【図１１】
2019129963.tif 000013
【図１２】
2019129963.tif 000014